(57)【要約】【課題】フォトムービーで予めシナリオで設定された写真の種類や表示順序に従ってフォトムービー表示中に、表示部の画面の向きが任意に変わった場合に最適な表示画像を自動編集することができる表示装置を提供する。【解決手段】表示装置は、フォトムービーで表示対象とする表示写真や表示順序に関する第１のシナリオ設定と、それとは別に、第１のシナリオで設定された写真を表示中に表示部の向きが変わった場合にどう表示するかを設定する第２のシナリオ設定を有する。第１のシナリオの表示写真が（Ａ）の横長写真の場合、表示部の画面の向きが同じ横長画面であれば、そのまま表示する（Ｂ）。画面の向きが異なる縦長画面であれば、（Ｃ）、（Ｄ）、（Ｅ）のいずれにするかを第２のシナリオで予め設定する。また、（Ａ）の横長写真を縮小表示する（Ｆ）、（Ｇ）、（Ｈ）、（Ｉ）（不図示）も第２のシナリオで予め設定する。【選択図】  図３
2011227164.tif 000002
【特許請求の範囲】
【請求項１】
予め選択された複数の写真とその表示順序にしたがって写真を切替えながら表示する表示装置であって、
前記写真の画像を記憶する写真画像記憶部と、
前記写真の表示を行う表示部と、
前記表示部の縦長／横長状態を検出するセンサと、
前記設定された写真の表示を切替えながら行っている最中に、各写真毎に写真の縦長／横長状態と前記センサが検出する表示部の縦長／横長状態が同じ場合には当該写真をそのまま表示させ、当該写真の縦長／横長状態と前記センサが検出する表示部の縦長／横長状態が異なる場合には予め設定された編集の種別に基づいて当該写真を編集して表示させる制御部と
を具備することを特徴とする表示装置。
【請求項２】
前記編集の種別は、
前記表示中の写真の縦長／横長状態と反対の縦長／横長状態の写真で関連性のある別の写真を選択か、又は前記表示中の写真の被写体の特徴部を抽出して切り出し拡大加工か、又は前記表示中の写真の中央部を切り出し拡大加工か、又は前記表示中の写真を縮小して該写真の撮影情報メタデータと共に配置加工か、又は前記表示中の写真を縮小して該写真に関連性のある画像を検索して前記縮小画像と関連性画像を共に配置加工かのいずれかであることを特徴とする請求項１記載の表示装置。
【請求項３】
さらに、
前記表示部に重畳されて表示部と共にタッチパネルディスプレイを形成する操作部を有し、
前記編集の種別に、さらに、前記表示中の写真を縮小して該縮小画像と表示ボタンを共に配置加工することを含む
ことを特徴とする請求項２記載の表示装置。
【請求項４】
前記制御部は、前記表示中の写真の被写体の特徴部を抽出して切り出し拡大加工を行う場合において、特徴部を抽出できないときには前記表示中の写真の中央部を切り出し拡大加工とすることを特徴とする請求項２記載の表示装置。
【請求項５】
前記制御部は、
前記写真の縦長／横長状態の判断は前記写真のメタデータで判断するか、メタデータがない場合には前記写真の被写体の特徴部を抽出してその向きにより縦長／横長状態を判断することを特徴とする請求項１記載の表示装置。
【発明の詳細な説明】
【技術分野】
【０００１】
本発明は、予め設定されたシナリオに基づいて写真を順次切替え表示するフォトムービー機能を有する表示装置に関する。
【背景技術】
【０００２】
フォトムービーでは、予めシナリオに基づいて指定された複数の写真が視覚効果をつけて切替りながら表示装置の表示部に表示される。シナリオ指定された後でも、表示装置の表示部の向きは、ユーザの持ち方次第で変わるので、表示部の向きに応じた写真が自動編集されることが望ましい。
【０００３】
例えば、表示部の向きに応じて画像の向きを変える表示装置がある（例えば、特許文献１参照。）。この特許文献１の表示装置はフォトムービー表示ではないが、ブックモード（表示部の向きが縦長画面）では、縦長画面の短辺に合わせて横長写真の長辺を縮小表示し、余白領域に画像データに付随するExif情報（メタデータ）を表示する。フレームモード（表示部の向きが横長画面）では、画面いっぱいに横長写真をフルサイズで表示する。
【先行技術文献】
【特許文献】
【０００４】
【特許文献１】特開２００６−２２７４０９号公報（頁４、図１、図２）
【発明の概要】
【発明が解決しようとする課題】
【０００５】
特許文献１の表示装置は、フォトムービー表示ではないので、フォトムービーでの予めシナリオで設定された写真の種類や表示順序を意識する必要はなく、単純に、画面の向きと表示写真とを対応付けて表示制御したものである。
【０００６】
本発明は、フォトムービーで予めシナリオで設定された写真の種類や表示順序に従ってフォトムービー表示中に、表示部の画面の向きが任意に変わった場合に最適な表示画像を自動編集することができる表示装置を提供することを目的とする。
【課題を解決するための手段】
【０００７】
上記目的を達成するために、本発明の表示装置は、予め選択された複数の写真とその表示順序にしたがって写真を切替えながら表示する表示装置であって、前記写真の画像を記憶する写真画像記憶部と、前記写真の表示を行う表示部と、前記表示部の縦長／横長状態を検出するセンサと、前記設定された写真の表示を切替えながら行っている最中に、各写真毎に写真の縦長／横長状態と前記センサが検出する表示部の縦長／横長状態が同じ場合には当該写真をそのまま表示させ、当該写真の縦長／横長状態と前記センサが検出する表示部の縦長／横長状態が異なる場合には予め設定された編集の種別に基づいて当該写真を編集して表示させる制御部とを具備することを特徴とする。
【発明の効果】
【０００８】
本発明によれば、フォトムービーで予めシナリオで設定された写真の種類や表示順序に従ってフォトムービー表示中に、表示部の画面の向きが任意に変わった場合に最適な表示画像を自動編集することができる。
【図面の簡単な説明】
【０００９】
【図１】本発明の実施例に係る表示装置１００のフォトムービー関連部分のブロック図。
【図２】本発明の実施例に係る表示装置１００の写真メタデータベース５を説明する図。
【図３】本発明の実施例に係る表示装置１００のフォトムービー表示のシナリオを説明する図。
【図４】本発明の実施例に係る表示装置１００のフォトムービー表示のシナリオを説明する図。
【図５】本発明の実施例に係る表示装置１００のフォトムービー表示のシナリオを説明する図。
【図６】本発明の実施例に係る表示装置１００のフォトムービー表示のシナリオを説明する図。
【図７】本発明の実施例に係る表示装置１００のフォトムービーシナリオ生成部１４の動作フローチャート。
【図８】本発明の実施例に係る表示装置１００のシナリオ記憶部６を説明する図。
【図９】本発明の実施例に係る表示装置１００のフォトムービーシナリオ再生部１３の動作フローチャート。
【発明を実施するための形態】
【００１０】
本発明の一実施形態では、フォトムービーで表示対象として通常設定される表示写真やその表示順序に関するシナリオ設定を第１のシナリオとし、それとは別に、第１のシナリオで設定された写真を順次切替えながら表示中に表示部の向きが任意に変わった場合にどう表示するかを設定する第２のシナリオ設定を設ける。
【００１１】
図１は、本発明の実施例に係る表示装置１００のフォトムービー関連部分のブロック図である。表示装置１００は、表示部１、操作入力部２、入出力制御部３、写真素材保存部４、写真メタデータベース５、シナリオ記憶部６、編集画像保存部７、傾きセンサ８、制御部１０などから構成される。制御部１０は、写真素材メタデータ生成部１１、写真素材選択部１２、フォトムービーシナリオ再生部１３、フォトムービーシナリオ生成部１４を有する。
【００１２】
表示部１と操作入力部２は独立したものであってもよいし、両者が重畳したタッチパネルディスプレイであってもよい。入出力制御部３は、表示部１と操作入力部２の入出力制御を行う。写真素材部４は、写真の画像素材を記憶する。
【００１３】
写真メタデータベース５については、次に説明する。  
図２は、本発明の実施例に係る表示装置１００の写真メタデータベース５を説明する図である。写真メタデータベース５は、写真素材保存部４に記憶されている画像素材毎のメタデータを記憶する記憶部である。
【００１４】
符号５１は、画像素材ＩＤであり、写真素材保存部４に記憶されている画像素材のＩＤである。符号５２は、画像素材の縦長／横長メタデータであり、画像素材が横長か縦長であるかを記憶する。符号５３は、画像素材の撮影情報メタデータであり、撮影場所、撮影日時、撮影状況などが記憶されている。符号５４は、画像素材の類似関連付けメタデータであり、画像素材の大まかな分類情報である。
【００１５】
これらのメタデータは、自動または操作入力により予め記憶される。符号５２の縦長／横長メタデータは画像素材にExif情報などで予め付されていない場合には、画像素材中の被写体の画像認識により、例えば被写体の顔の向きを認識して自動で縦長／横長メタデータを決定して、符号５２に記憶するようにしてもよい。
【００１６】
再び図１に戻る。シナリオ記憶部６は、フォトムービーの表示に関するシナリオを記憶するものであり、詳細は、あと（図８）で説明する。編集画像保存部７は、シナリオに基づいた編集画像を記憶するものであり、詳細は、あと（図７）で説明する。
【００１７】
傾きセンサ８は、表示部１の向きである縦長画面／横長画面状態を検出する。重力加速度センサやその他のセンサを用いて傾きが検出できるものであればよい。
【００１８】
制御部１０は、図示しないＣＰＵ、ＲＯＭ、ＲＡＭなどから構成され、ＲＯＭに記憶されているソフトウェアに基づいて、写真素材メタデータ生成部１１、写真素材選択部１２、フォトムービーシナリオ再生部１３、フォトムービーシナリオ生成部１４などの機能を実行する。
【００１９】
写真素材メタデータ生成部１１は、写真素材保存部４に写真素材を保存するときに、その写真のメタデータ（撮影日、撮影場所、被写体（人物、風景、ランドマーク、物体、etc.）、コメント等)を、使用者による操作入力や画像認識等の認識技術により取得または生成して、写真メタデータベース５の撮影情報メタデータ５３、類似関連付けメタデータ５４に記憶する。
【００２０】
また、写真素材メタデータ生成部１１は、写真素材のExif情報により横長写真／縦長写真を判別して写真メタデータベース５の縦長／横長メタデータ５２に記憶する。写真素材にExif情報が含まれていない場合は、画像認識を用いて写真内の人物または物体の方向を認識して、横長写真／縦長写真を判別して写真メタデータベース５の縦長／横長メタデータ５２に記憶する。
【００２１】
写真素材選択部１２は、フォトムービーシナリオ再生部１３の指示により写真素材を選択してフォトムービーシナリオ再生部１３に渡す。フォトムービーシナリオ再生部１３は、あとの図９のフローチャートで詳しく説明するが、シナリオ記憶部６に予め記憶されているシナリオにしたがって、表示制御を行う。
【００２２】
フォトムービーシナリオ生成部１４は、あとの図７のフローチャートで詳しく説明するが、使用者のシナリオ設定操作入力をチェックして、第１のシナリオおよび第２のシナリオをシナリオ記憶部６に記憶する。また、このシナリオに基づいた編集画像を作成して、編集画像保存部７に記憶する。
【００２３】
次に、フォトムービー表示中の写真の向きと表示部１の向きとを対応付けて表示画像をどう編集するかについて説明する。  
図３〜図６は、本発明の実施例に係る表示装置１００のフォトムービー表示のシナリオを説明する図である。  
図３、図４は、第１のシナリオで横長写真が表示対象として設定された場合に表示部１の向きと対応付けて表示画像をどう編集するかを説明する図である。第１のシナリオで、図３の（Ａ）の横長写真（ｎ）が設定されたとする。（ｎ）は表示順序であり、ｎ番目に表示する写真を意味する。
【００２４】
［横長写真に対して横長画面の場合］
ｎ番目に横長写真（ｎ）を表示するときおよび表示中において、傾きセンサ８で表示部１の向きが横長画面であることが検出されると、図３の（Ｂ）のように、横長写真（ｎ）をそのままフルサイズで表示する。このフルサイズは、写真の縦横比と画面の縦横比が一致していない場合は厳密にフルサイズではなく、ほぼフルサイズ状態で表示される。
【００２５】
［横長写真に対して縦長画面の場合］
ｎ番目に横長写真（ｎ）を表示するときおよび表示中において、傾きセンサ８で表示部１の向きが縦長画面であることが検出されると、どう表示するかの複数の編集種類があり、図３の（Ｃ）、（Ｄ）、（Ｅ）、図４の（Ｆ）、（Ｇ）、（Ｈ）、（Ｉ）の計７種類の編集種類のどれにするかを第２のシナリオで予め設定しておくことができる。
【００２６】
図３の（Ｃ）は、横長写真（ｎ）と類似関連付けメタデータ５４が同じ縦長写真を検索してフルサイズで表示するものである。図３の（Ｄ）は、横長写真（ｎ）の被写体の特徴部分、この例では顔を画像認識で抽出してその周辺を切り出し拡大してフルサイズで表示するものである。図３の（Ｅ）は、横長写真（ｎ）の中央部を切り出し拡大してフルサイズで表示するものである。
【００２７】
図４の（Ｆ）は、横長写真（ｎ）を縮小し、画面の余白に横長写真（ｎ）の撮影情報メタデータ５３を表示するものである。図４の（Ｇ）は、横長写真（ｎ）を縮小し、画面の余白に横長写真（ｎ）の類似関連付けメタデータ５４が同じであるアニメを検索して表示するものである。図４の（Ｈ）は、横長写真（ｎ）を縮小し、画面の余白に操作ボタン表示とフォトムービーの再生時間表示を行うものである。図４の（Ｉ）は、（Ｆ）（Ｇ）（Ｈ）の混合表示である。
【００２８】
図５、図６は、第１のシナリオで縦長写真が表示対象として設定された場合に表示部１の向きと対応付けて表示画像をどう編集するかを説明する図である。第１のシナリオで、図５の（Ａ）の縦長写真（ｎ）が設定されたとする。（ｎ）は表示順序であり、ｎ番目に表示する写真を意味する。
【００２９】
［縦長写真に対して縦長画面の場合］
ｎ番目に縦長写真（ｎ）を表示するときおよび表示中において、傾きセンサ８で表示部１の向きが縦長画面であることが検出されると、図５の（Ｂ）のように、縦長写真（ｎ）をそのままフルサイズで表示する。このフルサイズは、写真の縦横比と画面の縦横比が一致していない場合は厳密にフルサイズではなく、ほぼフルサイズ状態で表示される。
【００３０】
［縦長写真に対して横長画面の場合］
ｎ番目に縦長写真（ｎ）を表示するときおよび表示中において、傾きセンサ８で表示部１の向きが横長画面であることが検出されると、どう表示するかの複数の編集種類があり、図５の（Ｃ）、（Ｄ）、（Ｅ）、図６の（Ｆ）、（Ｇ）、（Ｈ）、（Ｉ）の計７種類の編集種類のどれにするかを第２のシナリオで予め設定しておくことができる。
【００３１】
図５の（Ｃ）は、縦長写真（ｎ）と類似関連付けメタデータ５４が同じである横長写真を検索してフルサイズで表示するものである。図５の（Ｄ）は、縦長写真（ｎ）の被写体の特徴部分、この例では顔を画像認識で抽出してその周辺を切り出し拡大してフルサイズで表示するものである。図５の（Ｅ）は、縦長写真（ｎ）の中央部を切り出し拡大してフルサイズで表示するものである。
【００３２】
図６の（Ｆ）は、縦長写真（ｎ）を縮小し、画面の余白に縦長写真（ｎ）の撮影情報メタデータ５３を表示するものである。図６の（Ｇ）は、縦長写真（ｎ）を縮小し、画面の余白に縦長写真（ｎ）の類似関連付けメタデータ５４が同じであるアニメを検索して表示するものである。図６の（Ｈ）は、縦長写真（ｎ）を縮小し、画面の余白に操作ボタン表示とフォトムービーの再生時間表示を行うものである。図６の（Ｉ）は、（Ｆ）（Ｇ）（Ｈ）の混合表示である。
【００３３】
次に、制御部１０のフォトムービーシナリオ生成部１４の詳細について説明する。  
図７は、本発明の実施例に係る表示装置１００のフォトムービーシナリオ生成部１４の動作フローチャートである。図８のシナリオ記憶部６も用いて説明する。  
フォトムービーシナリオ生成部１４は、使用者のシナリオ設定操作入力をチェックして、操作入力された第１のシナリオおよび第２のシナリオをシナリオ記憶部６に記憶し、シナリオに基づいた編集画像を作成して編集画像保存部７に記憶するものである。
【００３４】
［第１のシナリオ設定］
まず、フォトムービーシナリオ生成部１４は、使用者の第１のシナリオ設定操作入力をチェックして、それに従い、表示写真とその表示順序（ｎ）をシナリオ記憶部６の第１のシナリオ部の符号６１、６２に記憶する（ステップＳ１）。
【００３５】
図８の例では、１番目の表示は写真Ａ（横長写真）、２番目は写真Ｅ（縦長写真）、３番目は写真Ｃ（横長写真）である。また、フォトムービーシナリオ生成部１４は、これらの写真に関し、写真メタデータベース５（図２）の該当の写真の縦長／横長メタデータ５２をシナリオ記憶部６（図８）の符号６３に書き込む。
【００３６】
［第２のシナリオ設定］
次に、フォトムービーシナリオ生成部１４は、使用者の第２のシナリオ設定操作入力をチェックして、それに従い、ステップＳ１で設定された写真に関し、写真の向きに対して表示部１の向きが異なる場合の表示をどうするかの編集シナリオをシナリオ記憶部６の第２のシナリオ部の符号６４に記憶する（ステップＳ２）。
【００３７】
すなわち、横長写真（ｎ）に対して、図３（Ｃ）、図３（Ｄ）、図３（Ｅ）、図４（Ｆ）、図４（Ｇ）、図４（Ｈ）、図４（Ｉ）のいずれにするかが操作入力される。また、縦長写真（ｎ）に対して、図５（Ｃ）、図５（Ｄ）、図５（Ｅ）、図６（Ｆ）、図６（Ｇ）、図６（Ｈ）、図６（Ｉ）のいずれにするかが操作入力される。
【００３８】
図８の例では、１番目の写真Ａ（横長写真）に対して図３（Ｃ）（横長写真（ｎ）に関連の別の縦長写真を検索してフルサイズ表示）、２番目の写真Ｅ（縦長写真）に対して図５（Ｅ）（縦長写真（ｎ）の中央部を切り出し拡大してフルサイズ表示）、３番目の写真Ｃ（横長写真）に対して図４（Ｈ）（横長写真（ｎ）を縮小し、操作ボタンと共に表示する）が操作入力されて記憶される。
【００３９】
なお、使用者のシナリオ設定操作は、表示対象の各写真を１枚１枚詳しくユーザが設定するユーザ設定や、ランダムに自動設定するランダムお任せ設定や、撮影情報メタデータ・類似関連付けメタデータなどを基に自動で選択するシナリオお任せ設定などのいずれの設定方法であってもよい。
【００４０】
［編集画像作成］
次に、フォトムービーシナリオ生成部１４は、前記シナリオに基づく編集画像を作成して、編集画像保存部７に記憶し、その編集画像ＩＤをシナリオ記憶部６の符号６５の編集画像ＩＤに記憶する。
【００４１】
具体的には、表示順序（１）の写真Ａに対しては、図３（Ｃ）（横長写真（ｎ）に関連の別の縦長写真を検索してフルサイズ表示）なので、写真メタデータベース５（図２）の写真Ａ（横長写真）の符号５４の類似関連付けメタデータの「山」と同じ別の縦長写真を検索して、例えば写真Ｄを決定して編集画像として編集画像保存部７に記憶し、そのＩＤをシナリオ記憶部６の符号６５の編集画像ＩＤに記憶する。
【００４２】
表示順序（２）の写真Ｅに対しては、図５（Ｅ）（縦長写真（ｎ）の中央部を切り出し拡大してフルサイズ表示）なので、写真Ｅ（縦長写真）の中央部を横長画面用に切り出して拡大した画像を編集画像保存部７に記憶し、その編集画像のＩＤをシナリオ記憶部６の符号６５の編集画像ＩＤに記憶する。
【００４３】
表示順序（３）の写真Ｃに対しては、図４（Ｈ）（横長写真（ｎ）を縮小し、操作ボタンと共に表示する）なので、写真Ｃ（横長写真）を縮小し、操作ボタン画像と合わせた編集画像を作成して編集画像保存部７に記憶し、そのＩＤをシナリオ記憶部６の符号６５の編集画像ＩＤに記憶する。操作ボタン表示と共に表示される再生時間表示は、後述（図９）のフォトムービーシナリオ再生部１３によるフォトムービー表示時に表示される。
【００４４】
図８の３例の編集画像作成について説明したが、図３〜図６に記載の他の第２のシナリオが設定された場合の主要なものについて以下に説明する。  
フォトムービーシナリオ生成部１４は、図３の（Ｄ）が第２のシナリオ設定された場合、横長写真（ｎ）の被写体の特徴部分、例えば顔を画像認識で抽出してその周辺を切り出し拡大したものを編集画像とする。なお、この被写体の特徴部分が抽出できない場合には、図３の（Ｅ）の中央部切り出し拡大したものを編集画像とする。
【００４５】
図４の（Ｆ）が第２のシナリオ設定された場合、横長写真（ｎ）を縮小し、画面の余白に写真メタデータベース５（図２）の横長写真（ｎ）の符号５３の撮影情報メタデータと合わせたものを編集画像とする。図４の（Ｇ）が第２のシナリオ設定された場合、横長写真（ｎ）を縮小し、画面の余白に写真メタデータベース５（図２）の横長写真（ｎ）の類似関連付けメタデータ５４が同じであるアニメを検索して写真素材保存部４のそのアニメ画像と合わせたものを編集画像とする。
【００４６】
このようにしてシナリオが設定された後、フォトムービー表示がどのように行われるかを次に説明する。  
図９は、本発明の実施例に係る表示装置１００のフォトムービーシナリオ再生部１３の動作フローチャートである。シナリオ記憶部６（図８）に予め設定記憶されたシナリオに基づいて動作する。
【００４７】
［最初の写真Ａ（ｎ＝１）］
フォトムービーシナリオ再生部１３は、シナリオ記憶部６の第１のシナリオに基づいた表示順序で最初の写真Ａ（ｎ＝１）を指定する（ステップＳ１１）。そして、その写真の縦長／横長メタデータをチェックする（ステップＳ１２）。横長写真であるので、次に、傾きセンサ８による表示部の向きをチェックする（ステップＳ１３）。表示部の向きは、使用者の表示装置１００の持ち方次第で任意のタイミングで変わる。
【００４８】
ステップＳ１３で表示部の向きが横長画面であれば、写真と画面の向きが同じであり、写真Ａ（ｎ＝１）（横長写真）をそのままフルサイズ表示する（ステップＳ１４）。
【００４９】
そして、写真１枚分の表示時間の終了チェクを行い（ステップＳ１８）、未了であればステップＳ１２へ戻り、Ｓ１２、Ｓ１３、Ｓ１４、Ｓ１８のループを繰り返して、写真Ａ（ｎ＝１）（横長写真）の表示時間満了（ステップＳ１８のＹＥＳ）を待つ。
【００５０】
もし、写真Ａ（ｎ＝１）（横長写真）の表示時間未了の間に、ステップＳ１３で、画面の向きが縦長画面になった場合は、写真と画面の向きが異なるので、シナリオ記憶部６の写真Ａ（ｎ＝１）の符号６５の編集画像ＩＤの編集画像を編集画像保存部７から読み出して表示する（ステップＳ１５）。
【００５１】
ステップＳ１８で写真１枚分の表示時間が満了（ステップＳ１８のＹＥＳ）すると、次に、シナリオで設定された写真全部の表示が終了したかをチェックし（ステップＳ１９）、ＮＯであれば、ステップＳ１１へ戻る。
【００５２】
［２番目の写真Ｅ（ｎ＝２）］
ステップＳ１１では、次の写真Ｅ（ｎ＝２）（縦長写真）を指定し、ステップＳ１２で縦長写真を確認し、ステップＳ１６で表示部の向きをチェックして縦長画面であれば、写真と画面の向きが同じであり、写真Ｅ（ｎ＝２）（縦長写真）をそのままフルサイズ表示する（ステップＳ１７）。
【００５３】
ステップＳ１６で横長画面であれば、写真と画面の向きが異なるので、シナリオ記憶部６の写真Ｅ（ｎ＝２）（縦長写真）の符号６５の編集画像ＩＤの編集画像を編集画像保存部７から読み出して表示する（ステップＳ１５）。
【００５４】
［３番目の写真Ｃ（ｎ＝３）］
写真Ｅ（ｎ＝２）関連の表示が終了すると、ステップＳ１１では、次の写真Ｃ（ｎ＝３）（横長写真）を指定し、ステップＳ１２で横長写真を確認し、ステップＳ１３で表示部の向きをチェックして横長画面であれば、写真と画面の向きが同じであり、写真Ｃ（ｎ＝３）（横長写真）をそのままフルサイズ表示する（ステップＳ１４）。
【００５５】
ステップＳ１３で縦長画面であれば、写真と画面の向きが異なるので、シナリオ記憶部６の写真Ｃ（ｎ＝３）（横長写真）の第２のシナリオである図５（Ｈ）（横長写真（ｎ）を縮小し、操作ボタンと共に表示する）を行う（ステップＳ１５）。この場合、予めわかっているフォトムービー全表示時間とフォトムービー表示開始からの経過時間を余白に表示する。
【００５６】
そして、ステップＳ１８を経て、ステップＳ１９で写真全部の表示終了が確認されて、フォトムービー表示を終了する。
【００５７】
なお、ステップＳ１５の第２のシナリオに基づく編集画像は、予めシナリオ設定時にフォトムービーシナリオ生成部１４がステップＳ３（図７）で作成保存したものであるが、フォトムービー表示時のフォトムービーシナリオ再生部１３の処理能力が高い場合には、ステップＳ３（図７）の処理を図９のステップＳ１５で行うようにしてもよい。
【００５８】
本発明の実施例によれば、フォトムービーで予めシナリオで設定された写真の種類や表示順序に従ってフォトムービー表示中に、表示部の画面の向きが任意に変わった場合に最適な表示画像を得ることができる。  
本発明の表示装置として、携帯電話機、電子スタンド、その他の電子機器に適用できる。
【符号の説明】
【００５９】
１  表示部
２  操作入力部
３  入出力制御部
４  写真素材保存部
５  写真メタデータベース
６  シナリオ記憶部
７  編集画像保存部
８  傾きセンサ
１０  制御部
１１  写真素材メタデータ生成部
１２  写真素材選択部
１３  フォトムービーシナリオ再生部
１４  フォトムービーシナリオ生成部
１００  表示装置
【図１】
2011227164.tif 000003
【図２】
2011227164.tif 000004
【図３】
2011227164.tif 000005
【図４】
2011227164.tif 000006
【図５】
2011227164.tif 000007
【図６】
2011227164.tif 000008
【図７】
2011227164.tif 000009
【図８】
2011227164.tif 000010
【図９】
2011227164.tif 000011